(57)【要約】【課題】外枠と前面枠の下位置さえ軸着すれば、その後は前面枠の一側下面をその軸着部に支持させたまま一側上部をほぼ水平方向に移動させることにより上位置が軸着できるようにして、作業が楽に行なえ作業性も向上する遊技機を提供する。【解決手段】外枠１の前面一側の上下位置で軸着して前面枠２が開閉自在に装着され、上位置の軸着部は外枠１一側の上部固定金具１８と前面枠２一側の上部可動金具１９とからなり、上部固定金具１８と上部可動金具１９とは、それぞれ上下に重なる水平な支持片２３，３４を有し、一方の支持片２３に一端が閉塞し他端が開放する軸溝２７を設け他方の支持片３４に軸ピン３５を突設し、軸溝２７の開放口２８は遊技機Ｐを正面から見て左右方向に設けられ、上部固定金具１８に軸溝２７の奥端に位置した軸ピン３５の移動を阻止する弾性阻止片２９を取着した構成からなる。【選択図】図３
2010004929.tif 000002
【特許請求の範囲】
【請求項１】
方形枠状の外枠の前面一側にその上下位置で軸着することにより前面枠が開閉自在に装着される遊技機であって、
前記上位置の軸着部は前記外枠の一側に設けられる上部固定金具と前記前面枠の一側に設けられる上部可動金具とからなり、前記上部固定金具と上部可動金具とは、それぞれ上下に重なる水平な支持片を有し、一方の支持片に一端が閉塞しかつ他端が開放する軸溝を設けると共に他方の支持片に該軸溝に係合する軸ピンを突設し、前記軸溝の開放口は前記遊技機を正面から見て左右方向に設けられ、前記上部固定金具に前記軸溝の奥端に位置した軸ピンの移動を阻止する弾性阻止片を取着し、
前記下位置の軸着部は前記外枠の一側に設けられる下部固定金具と前記前面枠の一側に設けられる下部可動金具とからなり、前記下部固定金具は水平な支持片を有すると共に下部可動金具は水平であって該下部固定金具の支持片の上面に重なる支持片を有し、一方の支持片に軸ピンを突設すると共に他方の支持片に該軸ピンが嵌合する軸孔を開設したことを特徴とする遊技機。
【発明の詳細な説明】
【技術分野】
【０００１】
本発明は、外枠の前面一側にその上下位置で軸着することにより前面枠が開閉自在に装着される遊技機に関するものである。
【背景技術】
【０００２】
従来、遊技機の一種であるパチンコ遊技機にあっては、方形枠状の外枠の前面一側にその上下位置で軸着することにより前面枠が開閉自在に装着されている。前記上位置の軸着部は、前記外枠の一側に設けられる上部固定金具と前記前面枠の一側に設けられる上部可動金具とからなり、前記下位置の軸着部は前記外枠の一側に設けられる下部固定金具と前記前面枠の一側に設けられる下部可動金具とからなる。外枠における上部固定金具と下部固定金具とは、共に前方へ突出する水平な支持片を有し、上部固定金具の支持片に軸孔が開設され下部固定金具の支持片にはその上面に上向きの軸ピンが突設されている。一方、前面枠における上部可動金具と下部可動金具も、共に前方へ突出する支持片を有し、上部可動金具の支持片の下面に下向きの軸ピンが突設され下部可動金具の支持片には軸孔が開設されている。
【０００３】
そして、前記前面枠を持ち上げた状態で、まず、前面枠における下部可動金具の軸孔に外枠における下部固定金具の軸ピンを挿通して嵌合させ、続いて前面枠における上部可動金具の軸ピンを外枠における上部固定金具の軸孔にその上側から挿通して嵌合させる。これにより、前面枠が外枠に回動自在に軸着されることになる（例えば、特許文献１、２参照。）。
【０００４】
【特許文献１】特開２００２−１２１９５７号公報（第２−３頁、図１乃至図３）
【特許文献２】特開２００３−２０５１５４号公報（第２頁、図３）
【発明の開示】
【発明が解決しようとする課題】
【０００５】
ところで、近時、前面枠に配設される遊技盤に数字、文字、記号等の図柄を変動表示する大型の変動表示装置を装着したパチンコ遊技機が人気を博しており、そのようなパチンコ遊技機は前面枠が非常に重くなっている。しかしながら、前記特許文献１、２に係るパチンコ遊技機にあっては、前面枠を外枠に軸着するに、軸ピンを軸孔にそれぞれ上側から挿通しなければならず、重い前面枠を持ち上げたままその作業をすることになる。このため、重労働となって作業がしずらく、しかも、時間も掛かることから作業性が悪いという課題が有った。
【０００６】
そこで、本発明は上記課題を解決すべくなされたもので、外枠と前面枠の下位置さえ軸着すれば、その後は前面枠の一側下面をその軸着部に支持させたまま一側上部をほぼ水平方向に移動させることにより上位置が軸着できるようにして、作業が楽に行なえ作業性も向上する遊技機を提供することを目的とするものである。
【課題を解決するための手段】
【０００７】
かかる目的を達成するため本発明に係る遊技機は、方形枠状の外枠の前面一側にその上下位置で軸着することにより前面枠が開閉自在に装着される遊技機であって、前記上位置の軸着部は前記外枠の一側に設けられる上部固定金具と前記前面枠の一側に設けられる上部可動金具とからなり、前記上部固定金具と上部可動金具とは、それぞれ上下に重なる水平な支持片を有し、一方の支持片に一端が閉塞しかつ他端が開放する軸溝を設けると共に他方の支持片に該軸溝に係合する軸ピンを突設し、前記軸溝の開放口は前記遊技機を正面から見て左右方向に設けられ、前記上部固定金具に前記軸溝の奥端に位置した軸ピンの移動を阻止する弾性阻止片を取着し、前記下位置の軸着部は前記外枠の一側に設けられる下部固定金具と前記前面枠の一側に設けられる下部可動金具とからなり、前記下部固定金具は水平な支持片を有すると共に下部可動金具は水平であって該下部固定金具の支持片の上面に重なる支持片を有し、一方の支持片に軸ピンを突設すると共に他方の支持片に該軸ピンが嵌合する軸孔を開設したことを特徴とする。
【発明の効果】
【０００８】
本発明に係る遊技機は、上位置の軸着部は外枠の一側に設けられる上部固定金具と前面枠の一側に設けられる上部可動金具とからなり、上部固定金具と上部可動金具とは、それぞれ上下に重なる水平な支持片を有し、一方の支持片に一端が閉塞しかつ他端が開放する軸溝を設けると共に他方の支持片に該軸溝に係合する軸ピンを突設し、軸溝の開放口は遊技機を正面から見て左右方向に設けられ、上部固定金具に軸溝の奥端に位置した軸ピンの移動を阻止する弾性阻止片を取着してなる。よって、前面枠を外枠前面に軸着するに、外枠と前面枠の下位置さえ軸着すれば、その後は前面枠の一側下面をその軸着部に支持させたまま一側上部をほぼ水平方向に移動させることにより上位置が軸着できるので、作業中前面枠を持ち上げていなくても良くなる。これにより、その作業が楽になって行ない易い。しかも、作業性も向上するという効果を奏する。
【発明を実施するための最良の形態】
【０００９】
以下、本発明に係る遊技機の実施の形態を図面に基づき詳しく説明する。本発明は、パチンコ遊技機、アレンジボール機、雀球機、アレパチ機といった遊技機に適用されるが、その内、パチンコ遊技機について使用される場合について説明する。図１は、本発明が適用されるパチンコ遊技機の正面図、図２は前面枠を開いた状態のパチンコ遊技機の斜視図である。
【００１０】
パチンコ遊技機Ｐは、縦長長方形枠状の外枠１を有し、その前面一側にその上下位置で軸着することにより前面枠２が外枠１に対して開閉自在に装着される。前面枠２に、遊技盤３が配設される。図示は省略するが、遊技盤３の前面には内・外側ガイドレールに囲われて遊技部が形成され、該遊技部に大小の入賞口、障害釘、風車等の所謂盤面部品が装着されている。また、前面枠２の前面に、前記遊技盤２の前面を覆うようにしてガラス扉枠４がその一側で軸着されている。該ガラス扉枠４には、中央に遊技盤３の前面が視認できるように透明な合成樹脂板または透明なガラス板により塞がれる窓開口５が開設される。ガラス扉枠４の下方に、前面板６が一側で軸着される。
【００１１】
前記前面板６の前面に、打球発射位置（図示せず。）に供給する遊技球を貯留しておくための上部の球受皿８が装着されている。また、前面枠２の下部前面には、前記上部の球受皿８から溢れる遊技球を貯留するための下部の球受皿９が装着される。該下部の球受皿９の一側に灰皿１０が設けられ、他側には前記打球発射位置から遊技盤３面に打ち出される打球の打球力を調整するための打球力調整ハンドル１１が設けられている。
【００１２】
前面枠２の裏側に、遊技盤３の裏側を覆うようにして機構板１２が装着される。該機構板１２の裏側には、その上部に位置して球タンク１３が設けられると共に、その下方に位置して球タンク１３から供給される遊技球を下流へ導くタンクレール１４が設けられている。そして、該タンクレール１４の流下端に、カーブレール１５を介して球払出装置１６が配置される。また、該球払出装置１６の下方に球排出樋１７が取着される。この球排出樋１７は、前面板６の前面に設けられた上部の球受皿８に連なっている。そこで、前記球タンク１３に貯留される遊技球はタンクレール１４に導かれて流下し、球払出装置１６に貯留される。そして、例えば、入賞球の発生により所定量の遊技球が該球払出装置１６から球排出樋１７に排出され、上部の球受皿８に払い出されることになる。
【００１３】
外枠１の前面一側に、その上下位置で軸着することにより前面枠２が開閉自在に装着される。そして、図３に示すように上位置の軸着部は、外枠１の一側に設けられる上部固定金具１８と前面枠２の一側に設けられる上部可動金具１９とからなる。また、下位置の軸着部は、外枠１の一側に設けられる下部固定金具２０と前面枠２の一側に設けられる下部可動金具２１とからなる。
【００１４】
次に、これらについて更に詳しく説明する。上部固定金具１８は、金属製であって金属板を打ち抜き曲げ加工により形成され、図４（イ）、（ロ）、（ハ）に示すように直角に屈曲し外枠１の上面と外側面とに当接する水平取付板２２ａと垂直取付板２２ｂとを有し、その角部から外枠１の前方へ突出する水平な支持片２３が設けられる。該支持片２３は、前後方向に長い長方形状に形成されると共に基端側に段差部２４が設けられ、支持片２３の上面が水平取付板２２ａの上面よりも少し低く設定されている。水平・垂直取付板２２ａ，２２ｂには、適宜位置に螺子挿通孔２５が設けられている。
【００１５】
前記支持板２３の短手方向の両側に、下方へ直角に屈曲する補助片２６が設けられる。これは、支持片２３の強度を高めるためである。そして、支持片２３に、一端（前端）が閉塞しかつ他端（後端）が開放する軸溝２７が開設されている。更に詳しく説明すると、軸溝２７は平面Ｌ型に形成され、後端の開放口２８はパチンコ遊技機Ｐを正面から見て左右方向、すなわち右方向に設けられ、その右側の補助片２６も軸溝２７と連なるようにして切り欠かれている。支持片２３の下側に、軸溝２７に対応位置するようにして弾性阻止片２９が配置される。該弾性阻止片２９は、該軸溝２７に導かれ奥端に位置する後記軸ピン３５が無用に移動して軸溝２７から外れないようにするためのものである。
【００１６】
よって、該弾性阻止片２９は金属細板から形成され、後端部で各水平・垂直取付板２２ａ，２２ｂのそれぞれ裏面に螺子４０により螺締されることになる。また、その前側直線部２９ａは、垂直取付板２２ｂに平行に配置されると共に開放口２８を有する補助片２６の後端に外側へ直角に屈曲させた規制片３０に当接してそれより開放口２８側へは撓まないようになっている。これにより、軸溝２７に挿入されその奥端に位置した軸ピン３５をその位置から移動させないようにしている。しかも、前側直線部２９ａは開放口２８を塞ぐように位置しており、その先端が開放口２８とは反対側へ湾曲している。したがって、弾性阻止片２９の前側直線部２９ａは、パチンコ遊技機Ｐを正面から見てその左方向へは比較的湾曲するが、右方向と後方向に対してはほとんど屈曲しないように設定されている。
【００１７】
一方、上部可動金具１９も、同じく金属製であって金属板を打ち抜き曲げ加工により形成され、図５（イ）、（ロ）、（ハ）に示すように側面コ字状に屈曲し、前面枠２の上面に当接する水平取付板３１ａとその下方に位置して該水平取付板３１ａと平行に配置される水平取付板３１ｂとその基端側を連結する垂直取付板３２とからなる。この場合は、垂直取付板３２に螺子挿通孔３３が設けられる。そして、前記前面枠２の上面に当接する水平取付板３１ａは、その一側に前面枠２の前面よりも前方へ突出する水平な支持片３４が延設され、その下面に前記軸溝２７に係合する下向きの軸ピン３５が突設されている。前記上部固定金具１８、上部可動金具１９は、螺子挿通孔２５，３３を介して螺子４０を螺締めすることにより固定され、その内、上部固定金具１８が外枠１の上部の所定位置に、また、上部可動金具１９が前面枠２の上部の所定位置にそれぞれ固着される。
【００１８】
次に、下位置の軸着部であって外枠１の一側の下部固定金具２０は、金属製であり前方へ水平に突設する支持片３６を有する。該支持片３６は、その上面に上向きの軸ピン３７が突設される。また、前面枠２の一側に設けられる下部可動金具２１も、金属製であって前方へ水平に突設する支持片３８を有する。該支持片３８には、前記軸ピン３７を嵌合させる軸孔３９が開設される。
【００１９】
本発明に係るパチンコ遊技機Ｐは上記構成からなり、次に、前面枠２の取付方法を説明する。図面特に図３では、本来、前面枠２にガラス扉枠４や遊技盤３が装着されているが、これらガラス扉枠４や遊技盤３は都合上省略している。そこで、図３に示すように外枠１の前面に該外枠１に対してほぼ直角になるようにして前面枠２を配置し、上部固定金具１８と上部可動金具１９とを対向位置させると共に下部固定金具２０と下部可動金具２１とを対向位置させる。この状態で、まず、外枠１における下部固定金具２０の軸ピン３７を前面枠２における下部可動金具２１の軸孔３９に嵌合させる。これにより、前面枠２の一側下面が、外枠１における下部固定金具２０の支持片３６上面に載り支持される。
【００２０】
この状態で、図６（イ）、（ロ）に示すように前面枠２の一側上部を矢視方向へほぼ水平に移動させ、上部可動金具１９の軸ピン３５を開放口２８から軸溝２７内に挿通して係合させる。この際、軸ピン３５は弾性阻止片２９を押しながら軸溝２７内に入り奥端に位置する。このようにして、弾性阻止片２９を押し退けた後は、弾性阻止片２９が再び元の位置に戻り、軸ピン３５が無用に抜け出るのを阻止する。よって、前面枠２を外枠１の下部一側の支持片３６上面に載せた後は、前面枠２を持ち上げなくても作業が行なえる。
【００２１】
外枠１から前面枠２を外すには、前面枠２の下部一側を外枠の下部一側の支持片３６の上面に載せたまま、弾性阻止片２９をその弾性に抗して開放口２８の反対側へ撓ませ、その隙間から軸ピン３５を抜いて開放口２８から外す。そして、前面枠２を持ち上げて外枠１の下部の軸ピン３７と前面枠２の下部の軸孔３９との係合を解く。これにより、前面枠２が取り外せることになる。
【００２２】
このように、本発明に係るパチンコ遊技機Ｐは、上位置の軸着部が外枠１の一側に設けられる上部固定金具１８と前面枠２の一側に設けられる上部可動金具１９とからなる。そして、上部固定金具１８と上部可動金具１９とは、それぞれ上下に重なる水平な支持片２３を有し、一方の支持片２３に一端が閉塞しかつ他端が開放する軸溝２７を設けると共に他方の支持片に該軸溝２７に係合する軸ピン３５を突設し、軸溝２７の開放口２８はパチンコ遊技機Ｐを正面から見て左右方向に設けられ、上部固定金具１８に軸溝２７の奥端に位置した軸ピン３５の移動を阻止する弾性阻止片２９を取着してなる。よって、前面枠２を外枠１前面に軸着するに、外枠１と前面枠２の下位置さえ軸着すれば、その後は前面枠２の一側上部をその軸着部に支持させたままほぼ水平方向に移動させることにより上位置が軸着できるので、作業中、前面枠２を持ち上げていなくても良くなる。これにより、その作業が楽になって作業し易くなる。
【００２３】
しかも、上部固定金具１８は、金属板をプレスして打ち抜くと共に曲げ加工し、弾性阻止片２９を螺子止めするのみで出来上がるので、構成が簡単であって製作も容易に行なえる。同様に、下部固定金具１９も金属板をプレスして打ち抜くと共に曲げ加工し、軸ピン３５を取着するのみで出来上がるので、この場合も構成が簡単であって製作も容易に行なえる。よって、いずれも製作コストが低廉になし得る。
【００２４】
なお、本発明にあっては、外枠１における上部固定金具１８の支持片２３に軸溝２７を設け、前面枠２における上部可動金具１９の支持片３４に軸ピン３５を設けるようにしている。しかし、逆に、外枠１における上部固定金具１８の支持片２３に軸ピン３５を設け、前面枠２における上部可動金具１９の支持片３４に軸溝２７を設けるようにしても良い。
【００２５】
また、本発明にあっては、外枠１における下部固定金具２０の支持片３６に軸ピン３７を設け、前面枠２における下部可動金具２１の支持片３８に軸孔３９を設けるようにしている。しかし、逆に、外枠１における下部固定金具２０の支持片３６の上面に前面枠２の下部可動金具２１における支持片３８が重なることを条件として、下部固定金具２０の支持片３６に軸孔３９を設け、下部可動金具２１の支持片３８に下向きの軸ピン３７を設けるようにしても良いことは勿論である。
【図面の簡単な説明】
【００２６】
【図１】本発明に係るパチンコ遊技機の正面図。
【図２】前面枠を開いた状態の外枠の斜視図。
【図３】外枠と前面枠との軸着部を示す拡大斜視図。
【図４】（イ）は上部固定金具の平面図、（ロ）は同正面図、（ハ）は同側面図。
【図５】（イ）は上部可動金具の平面図、（ロ）は同正面図、（ハ）は同側面図。
【図６】（イ）は外枠に前面枠を軸着する状態を示す要部の平面図、（ロ）は同要部の正面図。
【符号の説明】
【００２７】
１            外枠
２            前面枠
１８          上部固定金具
１９          上部可動金具
２０          下部固定金具
２１          下部可動金具
２３          支持片
２７          軸溝
２８          開放口
２９          弾性阻止片
２９ａ        前側直線部
３４          支持片
３５          軸ピン
３６          支持片
３７          軸ピン
３８          支持片
３９          軸孔
Ｐ            遊技機（パチンコ遊技機）
【図１】
2010004929.tif 000003
【図２】
2010004929.tif 000004
【図３】
2010004929.tif 000005
【図４】
2010004929.tif 000006
【図５】
2010004929.tif 000007
【図６】
2010004929.tif 000008